(57)【要約】【課題】給電経路が断線しにくく安定した操業ができる電解設備を提供する。【解決手段】電解槽１と、電解槽１に挿入されるアノード２およびカソード３と、電解槽１の側部に設けられたアノード用サイドブスバー４およびカソード用サイドブスバー５と、カソード３に振動を与える振動付与手段９とを備え、カソード３とカソード用サイドブスバー５とが被覆付きの電線８を介して接続されている。電線８は、電解槽１から飛散する電解液や建屋内雰囲気に含まれる腐食性ガスにより腐食しにくく断線しにくい。そのため、安定した操業ができる。【選択図】図１
2015137366.tif 000002
【特許請求の範囲】
【請求項１】
電解液が供給される電解槽と、
前記電解槽に挿入されるアノードおよびカソードと、
前記電解槽の側部に設けられたアノード用サイドブスバーおよびカソード用サイドブスバーと、
前記カソードに振動を与える振動付与手段と、を備え、
前記アノードと前記アノード用サイドブスバーとが接続されており、
前記カソードと前記カソード用サイドブスバーとが被覆付きの電線を介して接続されている
ことを特徴とする電解設備。
【請求項２】
前記電線は、難燃性ポリフレックス電線である
ことを特徴とする請求項１記載の電解設備。
【請求項３】
一枚の前記カソードあたり複数の前記電線が接続されている
ことを特徴とする請求項１または２記載の電解設備。
【請求項４】
前記カソードは、カソード板と、該カソード板を吊り下げるカソードビームとを備え、
前記カソードビームの端面にはカソード側金具が突出して取り付けられており、
前記カソード用サイドブスバーの上面にはブスバー側金具が突出して取り付けられており、
前記電線は、一端が前記カソード側金具に固定され、他端が前記ブスバー側金具に固定されている
ことを特徴とする請求項１、２または３記載の電解設備。
【請求項５】
前記カソードは、カソード板と、該カソード板を吊り下げるカソードビームとを備え、
前記振動付与手段は、前記カソードビームの一端側を支点として、他端側を上昇させ落下させることで、前記カソードに振動を与える手段であり、
前記電線は前記カソードビームの支点側の端部に固定されている
ことを特徴とする請求項１、２、３または４記載の電解設備。
【請求項６】
ニッケル製錬プロセスの脱銅電解工程に用いられる
ことを特徴とする請求項１、２、３、４または５記載の電解設備。
【発明の詳細な説明】
【技術分野】
【０００１】
本発明は、電解設備に関する。
【背景技術】
【０００２】
電解採取や電解精製が行われる電解設備は、電解液が供給される電解槽と、電解槽に挿入されるアノードおよびカソードとを備えている。電解槽の両方の側部にはそれぞれサイドブスバーが設置されており、一方のサイドブスバーをアノードに接続し、他方のサイドブスバーをカソードに接続し、それらサイドブスバーを介してアノード‐カソード間に電流を流している。
【０００３】
ニッケル製錬プロセスの一工程である脱銅電解工程では、電解液中の銅をカソードに電着させつつ、カソードに一定時間間隔で振動を与えて電着した電気銅をカソードから剥ぎ落とし、電解槽の底に溜まった電気銅を回収することが行われる。カソードに振動を与えるためにカソードを動かす必要があるから、カソードとサイドブスバーとはフレキシブル導体で接続される。
【０００４】
ここで、フレキシブル導体とは、銅線を編み込んで作られた平編銅線の両端に銅板で形成された端子を固定したものである（例えば、特許文献１）。フレキシブル導体は、平編銅線部分が剥き出しであり、電解槽から飛散する電解液が付着しやすく、建屋内雰囲気に含まれる腐食性ガスの影響を受けやすい。これに加え、フレキシブル導体はカソードの動きに追随して繰り返し変形することから、長期間の使用により劣化が進み断線する場合がある。フレキシブル導体が断線すると、一部のカソードに電流が流れなくなるため電着量が減少し、脱銅電解工程の操業効率が低下するという問題がある。
【０００５】
特許文献２には、電解によって銅箔などを製造する装置の電解用電極板に、その全域にわたってほぼ均一に電流を流す技術が開示されている。また、特許文献３には、電解槽ブロックの一番端にある端末電解槽において電解槽内の電流分布のばらつきをなくす技術が開示されている。しかし、これらの技術は、ブスバーと電極板、またはブスバー同士を柔軟性のないリードバーで接続する技術であり、カソードがブスバーに対して動く電解設備には適用できない。
【先行技術文献】
【特許文献】
【０００６】
【特許文献１】実開平１−１４３０２６号公報
【特許文献２】特開平９−８７８８３号公報
【特許文献３】特開２０００−５４１８２号公報
【発明の概要】
【発明が解決しようとする課題】
【０００７】
本発明は上記事情に鑑み、給電経路が断線しにくく安定した操業ができる電解設備を提供することを目的とする。
【課題を解決するための手段】
【０００８】
第１発明の電解設備は、電解液が供給される電解槽と、前記電解槽に挿入されるアノードおよびカソードと、前記電解槽の側部に設けられたアノード用サイドブスバーおよびカソード用サイドブスバーと、前記カソードに振動を与える振動付与手段と、を備え、前記アノードと前記アノード用サイドブスバーとが接続されており、前記カソードと前記カソード用サイドブスバーとが被覆付きの電線を介して接続されていることを特徴とする。
第２発明の電解設備は、第１発明において、前記電線は、難燃性ポリフレックス電線であることを特徴とする。
第３発明の電解設備は、第１または第２発明において、一枚の前記カソードあたり複数の前記電線が接続されていることを特徴とする。
第４発明の電解設備は、第１、第２または第３発明において、前記カソードは、カソード板と、該カソード板を吊り下げるカソードビームとを備え、前記カソードビームの端面にはカソード側金具が突出して取り付けられており、前記カソード用サイドブスバーの上面にはブスバー側金具が突出して取り付けられており、前記電線は、一端が前記カソード側金具に固定され、他端が前記ブスバー側金具に固定されていることを特徴とする。
第５発明の電解設備は、第１、第２、第３または第４発明において、前記カソードは、カソード板と、該カソード板を吊り下げるカソードビームとを備え、前記振動付与手段は、前記カソードビームの一端側を支点として、他端側を上昇させ落下させることで、前記カソードに振動を与える手段であり、前記電線は前記カソードビームの支点側の端部に固定されていることを特徴とする。
第６発明の電解設備は、第１、第２、第３、第４または第５発明において、ニッケル製錬プロセスの脱銅電解工程に用いられることを特徴とする。
【発明の効果】
【０００９】
第１発明によれば、カソードとカソード用サイドブスバーとが被覆付きの電線を介して接続されているので、電解槽から飛散する電解液や建屋内雰囲気に含まれる腐食性ガスにより電線が腐食しにくく断線しにくい。そのため、安定した操業ができる。
第２発明によれば、難燃性ポリフレックス電線は可撓性が高いので、カソードの動きを邪魔することなく追随でき、繰り返し変形しても劣化しにくく断線しにくい。そのため、安定した操業ができる。また、難燃性ポリフレックス電線は許容電流が大きいので、電解槽に供給される大電流を許容できる。
第３発明によれば、一枚のカソードあたり複数の電線が接続されているので、一部の電線が断線しても他の電線を介してカソードに給電できる。そのため、安定した操業ができる。
第４発明によれば、電線の一端がカソードビームの端面に突出したカソード側金具に固定され、他端がカソード用サイドブスバーの上面に突出したブスバー側金具に固定されているので、電線に弛みを持たせやすい。そのため、カソードの動きを許容でき、電線の変形を小さくして劣化を抑制できる。また、電線の取り付け、取り外しの作業が容易となる。
第５発明によれば、電線はカソードビームの支点側の端部に固定されているので、カソードビームの端部とカソード用サイドブスバーとの位置関係の変化が小さく、電線の変形を小さくして劣化を抑制できる。
第６発明によれば、電線が断線しにくいので電着量の減少を抑制でき、脱銅電解工程の操業効率の低下を防止できる。
【図面の簡単な説明】
【００１０】
【図１】本発明の一実施形態に係る電解設備の電解槽の平面図である。
【図２】図１におけるII-II線矢視断面図である。
【図３】図１におけるIII-III線矢視断面図である。
【図４】図１におけるIV-IV線矢視断面図である。
【図５】カソードビームとカソード用サイドブスバーの接続部分の拡大正面図である。
【図６】同接続部分の拡大平面図である。
【図７】同接続部分の拡大側面図である。
【図８】ニッケル製錬プロセスの工程図である。
【発明を実施するための形態】
【００１１】
つぎに、本発明の実施形態を図面に基づき説明する。
本発明に係る電解設備は、電解採取や電解精製に用いられる電解設備であり、その用途は特に限定されない。以下では、ニッケル製錬プロセスの脱銅電解工程に用いられる場合を例に説明するが、これ以外の用途の電解設備に本発明を適用しても同様の効果を奏することができる。
【００１２】
硫化物からニッケルを回収するニッケル製錬プロセスの一例を図８に基づき説明する。
まず、ニッケルマットなどの原料を粉砕工程において粉砕した後、後述の電解廃液と混合してマットスラリーとし、その大部分をセメンテーション工程に供給する。セメンテーション工程には塩素浸出工程で得られた浸出液が供給されており、この浸出液中に含まれる銅がマット中のニッケルと置換反応を起こして、硫化銅として析出する。そして、析出した硫化銅をセメンテーション残渣とともに分離し、塩素浸出工程に供給する。
【００１３】
セメンテーション工程の終液中にはCoやFeなどが含まれているため、浄液工程で塩素ガスを吹き込んで酸化しつつ、同時に炭酸ニッケルを添加して中和する、いわゆる酸化中和法により、これらの元素およびCu、Pb、Asなどの微量不純物を除去する。不純物を除去した液はその後、電解給液として電解工程に送る。電解工程においては、電解採取により、電解液に含まれるニッケルを電気ニッケルとして回収する。電解工程で発生した塩素ガスは塩素浸出工程および浄液工程に繰り返して再利用する。電解工程から排出された電解廃液は粉砕工程および浄液工程に送られる。
【００１４】
塩素浸出工程には残りのマットスラリーとＭＳ（Mix Sulfide：ニッケルとコバルトの混合硫化物）およびセメンテーション残渣からなるスラリーが供給される。塩素浸出工程では、浸出槽に吹き込まれる塩素ガスの酸化力によって、スラリー中の固形物に含まれる非鉄金属が実質的に全て液中に浸出される。塩素浸出工程から排出されたスラリーは固液分離装置により浸出液と浸出残渣とに固液分離される。ニッケルマットに含まれていた硫黄はほとんど浸出されず、その大部分が浸出残渣として分離される。非鉄金属が浸出された浸出液の大部分は、そのままセメンテーション工程に繰り返して供給される。浸出液の一部は脱銅電解工程に送られ、電解採取により銅が除去された脱銅電解廃液が浸出液とともにセメンテーション工程に供給される。脱銅電解工程で余分な銅を除去することで、ニッケルマットに含まれている銅が系内で濃縮されることを防止している。
【００１５】
つぎに、ニッケル製錬プロセスの脱銅電解工程に用いられる脱銅電解設備を説明する。
脱銅電解設備には、図１および図２に示す電解槽１が備えられている。電解槽１には塩素浸出工程から排出された浸出液の一部が電解液として供給されており、電解採取により得られた電気銅とともに、銅が除去された脱銅電解廃液が排出されている。
【００１６】
電解槽１には、複数枚のアノード２およびカソード３が交互に挿入されている。電解槽１の両方の側部には、それぞれ電解槽１の全長に渡ってサイドブスバー４、５が設けられている。以下では、一方のサイドブスバー４をアノード用サイドブスバー４と称し、他方のサイドブスバー５をカソード用サイドブスバーと称する。後述のごとく、アノード２とアノード用サイドブスバー４とが接続されており、カソード３とカソード用サイドブスバー５とが接続されている。サイドブスバー４、５は図示しない給電設備に接続されており、それらサイドブスバー４、５を介してアノード２とカソード３の間に電流を流している。これにより電解採取が行われ、電解液中の銅がカソード３に電着する。
【００１７】
アノード用サイドブスバー４の上面には電解槽１の全長に渡って絶縁体６が載置されており、カソード用サイドブスバー５の上面には電解槽１の全長に渡って絶縁体７が載置されている。図３に示すように、絶縁体６はアノード用サイドブスバー４よりも幅狭であり、電解槽１の外側に偏って載置されている。そのため、アノード用サイドブスバー４の上面のうち電解槽１の内側寄りの部分は露出している。絶縁体７はカソード用サイドブスバー５よりも幅狭であり、電解槽１の内側に偏って載置されている。そのため、カソード用サイドブスバー５の上面のうち電解槽１の外側寄りの部分は露出している。
【００１８】
アノード２は、アノード板２１と、アノード板２１を吊り下げるアノードビーム２２とからなる。アノードビーム２２の一端（図３における左端）はアノード用サイドブスバー４の上面に固定されている。これによりアノード２とアノード用サイドブスバー４とが電気的に接続されている。アノードビーム２２の他端（図３における右端）は絶縁体７に載せられている。すなわち、アノード２とカソード用サイドブスバー５とは絶縁されている。
【００１９】
図４に示すように、カソード３は、カソード板３１と、カソード板３１を吊り下げるカソードビーム３２とからなる。カソードビーム３２の一端（図４における左端）は絶縁体６に載せられている。すなわち、カソード３とアノード用サイドブスバー４とは絶縁されている。カソードビーム３２の他端（図４における右端）は絶縁体７に載せられている。なお、絶縁体７は側面視において凹凸が繰り返された形状となっており、凹部にアノードビーム２２が載せられ、凸部にカソードビーム３２が載せられている。そのため、アノードビーム２２は絶縁体７の凹部とアノード用サイドブスバー４に架け渡されて略水平に設けられており（図３参照）、カソードビーム３２は絶縁体７の凸部と絶縁体６に架け渡されて略水平に設けられている（図４参照）。
【００２０】
カソードビーム３２のカソード用サイドブスバー５側の端部とカソード用サイドブスバー５とは電線８を介して接続されている。すなわち、カソード３とカソード用サイドブスバー５とは電線８を介して電気的に接続されている。
【００２１】
脱銅電解工程では、電解液中の銅をカソード３に電着させつつ、カソード３に数十秒〜数分間隔で振動を与えて電着した電気銅をカソード３から剥ぎ落とすことが行われる。そのため、カソード３に振動を与える振動付与手段が設けられる。
【００２２】
本実施形態において振動付与手段はエアシリンダ９で構成されている。より詳細には、カソードビーム３２のアノード用サイドブスバー４側の端部の上方にエアシリンダ９が設けられている。エアシリンダ９のロッド９１は下方を向いている。また、カソードビーム３２には、エアシリンダ９の下方の位置に接続金具９２が取り付けられている。そして、ロッド９１の先端と接続金具９２とが紐９３で連結されている。
【００２３】
カソードビーム３２のカソード用サイドブスバー５側の端部は、絶縁体７の上面に固定された支持部材７１によって支持されている。支持部材７１はＵ字溝を有する部材であり、そのＵ字溝にカソードビーム３２を挿入することで、カソードビーム３２が支持されている。
【００２４】
エアシリンダ９を伸長させた状態では、カソードビーム３２が絶縁体６に載せられた状態となる（図４における実線）。一方、エアシリンダ９を収縮させた状態では、カソードビーム３２は、カソード用サイドブスバー５側の端部が支持部材７１に支持されたまま、アノード用サイドブスバー４側の端部が上昇する（図４における一点鎖線）。すなわち、カソードビーム３２は、カソード用サイドブスバー５側の端部を支点として回動する。エアシリンダ９を収縮させた状態から素早く伸長させると、カソードビーム３２のアノード用サイドブスバー４側の端部が落下し絶縁体６に衝突する。
【００２５】
以上のようにエアシリンダ９を収縮、伸長させることで、カソードビーム３２の一端側（図４における右側）を支点として、他端側（図４における左側）を上昇させ落下させることができる。これによりカソード３に衝撃を与えて振動させ、電着した電気銅をカソード３から剥ぎ落とすことができる。
【００２６】
なお、脱銅電解工程は、ニッケル製錬プロセス系内の余分な銅を除去することが目的であり、銅を板状に電着させる必要はなく、塊状または粉状に電着できればよい。そのため、カソード３に一定時間間隔で振動を与えることで、塊状または粉状に電着した電気銅をカソード３から剥ぎ落とすことが行われる。カソード３から剥ぎ落とされた電気銅は、電解槽１の底に溜まり、脱銅電解廃液とともに電解槽１から排出される（図２参照）。
【００２７】
上記振動付与手段の構成において、エアシリンダ９に代えて油圧シリンダなどの他のアクチュエータを用いてもよい。また、カソード３に振動を与えることができれば、他の構成の振動付与手段を採用してもよい。
【００２８】
つぎに、カソードビーム３２とカソード用サイドブスバー５の接続部分の詳細を説明する。
図５、図６および図７に示すように、カソードビーム３２のカソード用サイドブスバー５側の端部は平面視Ｔ字形であり、端面が平板状に形成されている。その端面にＬ字形のカソード側金具８１が取り付けられている。Ｌ字形のカソード側金具８１の一方の面はカソードビーム３２の端面に接した状態で固定され、他方の面はカソードビーム３２の端面の下縁近傍において水平に突出している。カソード用サイドブスバー５の上面にはＬ字形のブスバー側金具８２が取り付けられている。ブスバー側金具８２の一方の面はカソード用サイドブスバー５の上面に接した状態で固定され、他方の面はカソード側金具８１の下方において鉛直に突出している。
【００２９】
電線８は被覆付きの電線であり、その両端に端子８３が設けられている。電線８の一端に設けられた端子８３がカソード側金具８１の突出部分に固定され、他端に設けられた端子８３がブスバー側金具８２の突出部分に固定されている。これにより、電線８は電解槽１の外側方向に膨らむように略コ字形に湾曲して設けられる。このように、カソード側金具８１およびブスバー側金具８２を用いることで、電線８に弛みを持たせて配線できる。
【００３０】
ところで、エアシリンダ９を収縮、伸長させることで、カソードビーム３２はアノード用サイドブスバー４側の端部が数cm〜十数cm昇降する。これに伴い、カソードビーム３２に設けられたカソード側金具８１が上下に揺動する。カソードビーム３２とカソード用サイドブスバー５とを電線８で接続することで、このようなカソードビーム３２の動きを許容しつつカソード３に給電することができる。
【００３１】
前述のごとく、電線８は弛みを持って接続されているので、カソード３の動きを許容でき、カソード３の動きに伴う電線８の変形を小さくできる。そのため、電線８が繰り返し変形することによる劣化を抑制できる。しかも、電線８はカソードビーム３２の支点側（カソード用サイドブスバー５側）の端部に固定されているため、カソードビーム３２の端部とカソード用サイドブスバー５との位置関係の変化が小さい。そのため、電線８の変形を小さくして劣化を抑制できる。
【００３２】
カソード側金具８１およびブスバー側金具８２と端子８３とは、ボルト、ナットで締結されている。カソード側金具８１はカソードビーム３２の端面から突出して設けられ、ブスバー側金具８２はカソード用サイドブスバー５の上面から突出して設けることから、端子８３の締結部分が露わとなり、ボルト、ナットの周囲に邪魔なものがない。そのため、電線８の取り付け、取り外しの作業が容易となる。
【００３３】
カソード３とカソード用サイドブスバー５とが被覆付きの電線８を介して接続されているので、電解槽１から飛散する電解液や建屋内雰囲気に含まれる腐食性ガスにより電線８が腐食しにくく断線しにくい。そのため、安定した操業ができる。
【００３４】
電線８は被覆付きの電線であれば特に限定されないが、難燃性ポリフレックス電線を用いることが好ましい。難燃性プリフレックス電線とは、軟銅線などの導体を難燃性ポリフレックスで被覆した電線である。難燃性ポリフレックス電線は可撓性が高いので、カソード３の動きを邪魔することなく追随でき、繰り返し変形しても劣化しにくく断線しにくい。そのため、安定した操業ができる。また、難燃性ポリフレックス電線は許容電流が大きいので、電解槽１に供給される大電流を許容できる。
【００３５】
難燃性ポリフレックス電線は可撓性が高いので、形状を変化させやすく取り付け、取り外しが容易であるので、電線８の交換、カソード３の交換、カソード用サイドブスバー５の交換、電解槽１の補修などの場合に作業が容易となる。
【００３６】
本実施形態においては一枚のカソード３あたり４本の電線８が接続されている。すなわち、カソード側金具８１には電線８の端子８３が４つ並んで固定されており（図６参照）、ブスバー側金具８２にも電線８の端子８３が４つ並んで固定されている（図７参照）。このように、一枚のカソード３あたり複数の電線８を接続すれば、一部の電線８が断線しても他の電線８を介してカソード３に給電できる。そのため、カソード３に電流が流れなくなる可能性が低く、安定した操業ができる。
【００３７】
電線８の電流容量、カソード一枚当たりの本数、および長さは、給電電流、カソード側金具８１の幅寸法、電線８の可撓性により適宜決定すればよい。電線８の電流容量が大きく、カソード一枚当たりの本数が多いほど、全体としての電流容量が大きくなる。また、電線８の長さが長いほど可撓性が高くなる。
【００３８】
以上のように、電線８が断線しにくいので、一部のカソード３に電流が流れなくなる可能性が低く、電着量の減少を抑制でき、脱銅電解工程の操業効率の低下を防止できる。また、電線８の劣化の進行が遅く交換頻度が低くなることから、電線８の交換作業を低減でき、交換部品にかかる費用を削減できる。
【実施例】
【００３９】
つぎに、実施例を説明する。
（実施例１）
ニッケル製錬プロセスの脱銅電解工程において、上記電解設備を用いて操業を行った。電解槽１に挿入されるアノード２の枚数は３３枚であり、カソード３の枚数は３２枚である。アノード板２１およびカソード板３１は、それぞれ約１ｍ×１ｍの板材である。電線８として難燃性ポリフレックス電線を用いた。用いた難燃性ポリフレックス電線は断面積が38mm2であり、電流容量は通常の使用温度である６０〜７５℃の許容電流として１３０〜１８０Ａ程度である。また、難燃性ポリフレックス電線の長さは40cmである。一枚のカソード３あたり４本の電線８を接続した。
【００４０】
１年間の操業の結果、電線８が断線することはなかった。そのため、脱銅電解工程の操業効率が低下することなく、安定して操業ができた。
【００４１】
（比較例１）
カソード３とカソード用サイドブスバー５とを、従来のフレキシブル導体で接続した。その余の条件は実施例１と同様である。
【００４２】
１年間の操業の結果、フレキシブル導体の断線が生じ、フレキシブル導体の取り付け総数の約2.5倍の数の交換が必要であった。
【００４３】
以上のことから、本発明により給電経路が断線しにくく安定した操業ができることが確認された。その結果、脱銅電解工程の操業効率を維持でき、交換作業などによる作業者の負担を軽減でき、交換部品にかかる費用を削減できた。
【符号の説明】
【００４４】
１    電解槽
２    アノード
３    カソード
３１  カソード板
３２  カソードビーム
４    アノード用サイドブスバー
５    カソード用サイドブスバー
６    絶縁体
７    絶縁体
８    電線
８１  カソード側金具
８２  ブスバー側金具
８３  端子
９    エアシリンダ
【図１】
2015137366.tif 000003
【図２】
2015137366.tif 000004
【図３】
2015137366.tif 000005
【図４】
2015137366.tif 000006
【図５】
2015137366.tif 000007
【図６】
2015137366.tif 000008
【図７】
2015137366.tif 000009
【図８】
2015137366.tif 000010